(57)【要約】【課題】自動二輪車の背もたれに走行時の風を受けてなびく飾りカバーを取り付けることで爽快感を得られ、かつ周りからも見栄えの良い背もたれ用下げ飾りを提供する。【解決手段】縦長状の皮革生地２の上部外周を円弧状にカットし、その円弧状部分から少し下がった下部全体に、数多くの切れ目３を縦に施した細帯片４を形成する二枚の皮革生地２，２ａを重ね合わせた後、前記する円弧状部分の周端部を縫い目５で綴じ合わせるとともに、その綴じ合わせ部の中央に貫通する止め穴６を施して成る飾り本体７を形成し、その飾り本体７にオスメス一組とする留め具１０を組み合わせて成る背もたれ用下げ飾りとする。【選択図】図１
0003162915.tif 000002
【実用新案登録請求の範囲】
【請求項１】
自動二輪車の背もたれに取り付けられる飾りであって、縦長状の皮革生地の上部外周を円弧状にカットし、その円弧状部分から少し下がった下部全体に、数多くの切れ目を縦に施して成る細帯片を形成する二枚の皮革生地を重ね合わせた後、前記する円弧状部分の周端部を縫い目で綴じ合わせるとともに、その綴じ合わせ部の中央に貫通する止め穴を施して成る飾り本体を形成し、その飾り本体にオスメス一組とする留め具を組み合わせて成る構成を特徴とする自動二輪車の背もたれ用下げ飾り。
【請求項２】
自動二輪車の背もたれに取り付けられる飾りであって、縦長状を成す皮革生地の上部左右端部の上下に通し穴を設け、その通し穴より少し下がった下部全体に、数多くの切れ目を縦に施して細帯片を形成した飾り本体を形成し、その飾り本体に、別体の結び紐を組み合わせて成る構成を特徴とする自動二輪車の背もたれ用下げ飾り。
【考案の詳細な説明】
【技術分野】
【０００１】  本考案は、自動二輪車の背もたれに短冊様のカバーを取り付けることで、走行時の風になびかせたり、周囲から見た目に風情や爽快感を与えるバイク用の飾りに関する。
【背景技術】
【０００２】  従来、比較的大型の自動二輪車には、同乗者を乗せる後部の車体フレームに、パイプを逆Ｕの字状に曲げた高さ約５０〜７０センチほどのシーシーバーと称する背もたれを取り付けたり、またその背もたれの中ほどにクッションマットを取り付けたタイプもある。【０００３】  また、逆Ｕの字状のシンプルな背もたれ自体に装飾性を持たせるために、車体フレームに取り付ける背もたれ下部の基板を、膨らみや意匠的な装飾穴を形成した自動二輪車用の背もたれがある。（特許文献１参照）
【特許文献１】意匠登録第１２３２３５７号公報
【考案が解決しようとする課題】
【０００４】  前記するように自動二輪車用の背もたれがあるが、フレームを逆Ｕ字状に曲げたタイプや、その中ほどにクッションマットを取り付けただけであるので、背もたれの機能本位であるため個性やオリジナル性を発揮できなかった。
【０００５】  また匠登録第１２３２３５７号公報に開示される背もたれは、車体に取り付ける根元の基板に飾りを施した物であるが、低い位置であるので目立ちにくく、かつ装飾性も低いものであった。
【課題を解決するための手段】
【０００６】  本考案は、前記するような従来の背もたれが持つ不便を解消するために、縦長状の皮革生地の上部外周を円弧状にカットし、その円弧状部分から少し下がった下部全体に、数多くの切れ目を縦に施して成る細帯片を形成する二枚の皮革生地を重ね合わせた後、前記する円弧状部分の周端部を縫い目で綴じ合わせるとともに、その綴じ合わせ部の中央に貫通する止め穴を施して成る飾り本体を形成し、その飾り本体にオスメス一組とする留め具を組み合わせることで、逆Ｕ字状の背もたれフレームの上部に取り付けて飾れるものとする。
【０００７】  請求項２においては、縦長状の皮革生地の上部左右端部の上下に通し穴を設け、その通し穴より少し下がった下部全体に、数多くの切れ目を縦に施した細帯片を形成した飾り本体を形成し、その飾り本体に、別体の結び紐を組み合わせることで背もたれのフレーム中ほどや下部に取り付けられるものとする。
【考案の効果】
【０００８】  本考案による自動二輪車の背もたれ用下げ飾りにおける実施例１タイプは、丈夫でしなやかな皮革生地により、略釣鐘状にカットした生地に数多くの切れ目を施した短冊様の飾り本体を二枚重ね合わせ、その上部の円弧状周囲を縫い付けて袋状を成す飾り本体を、背もたれのフレーム上部に被せてから留め具で取り付けることで、フレーム頂部を保護するとともに、飾りが目に付き易いので頭に当たったりすることは無い。
【０００９】  また実施例２タイプは、一枚の短冊状の飾り本体を結び紐で簡単に取り付けられるので、フレームの太さに関わらず、かつ中ほど下部に取り付けられ、必要であれば実施例１タイプと組み合わせて飾ることも可能であるので、従来の機能一点張りであった背もたれがひと際目立つユニークな装飾効果を得られる。
【００１０】  また、背もたれのフレームが高いタイプは、乗り降りする際にうっかり体や頭に当たる場合もあるが、この下げ飾りを取り付けると目立つので、仮に頭や体に当たってもフレームはもとより身体も保護する効果を得られる。また留め具の部分は細紐を掛けられるので、好みのキーホルダーや他の飾りなどを掛けられる。
【００１１】  さらに本考案による下げ飾りを付けると、走行時の風を受けてなびく面白さを得られるので、周囲から見る目にも爽快感を与える飾りとなるため、ドライバーの気分も良いものとなる。また数多くの人が集まるツーリングにおいては趣き高い背もたれを演出できるとともに、一時、車から離れた場合でも一目で自分のバイクが分かるなど、従来には見られないシンプルにしてオリジナル性高い自動二輪車の背もたれ用下げ飾りを提供する。
【図面の簡単な説明】
【００１２】
【図１】本考案の実施例１の下げ飾りを示す斜視図である。
【図２】本考案の実施例１の下げ飾りを、背もたれのフレームに取り付けた状態を示すＡ−Ａ部の拡大端面図である。
【図３】本考案の下げ飾りの実施例１を、背もたれの上部に取り付けた使用状態参考図である。
【図４】本考案の実施例２の下げ飾りを示す斜視図である。
【図５】本考案の実施例２の下げ飾りを、背もたれのフレーム下部に取り付けた参考例図である。
【考案を実施するための形態】
【００１３】  本考案は、自動二輪車用の背もたれに取り付ける下げ飾りとするために、皮革や合成皮革のように丈夫でしなやかな素材を、略釣鐘状または矩形状にカットした下部に数多くの切れ目を施して短冊状を成す飾りを、背もたれのフレーム上部または下部に取り付けられるものとする。
【実施例１】
【００１４】  本考案による実施例１の下げ飾りを、図１の斜視図と図２のＡ−Ａ線拡大端面図で説明する。
まず、下げ飾り１を形成する素材は、皮をなめした皮革や合成皮革等（以下、皮革生地と称す）のように丈夫にしてしなやかな皮革生地２を、高さ約２５０ｍｍ、幅約１００ｍｍ程度の縦長で成る皮革生地２の上部外周を円弧状にカットするとともに、その少し下部約１６０ｍｍ部分全体に、約６〜８ｍｍ程度の幅に数多くの切れ目３，３を縦に施して短冊状成す細帯片４，４ａを形成した皮革生地２，２ａ二枚をカットし、その二枚の皮革生地２，２ａの表面側が外側になるように重ね合わせた上で、前記円弧状部分及び左右の切れ目３部位近くまでの周部を縫い目５で綴じ合わせるとともに、その綴じ合わせた部分の中ほど部位に、二枚重ね合わせた皮革生地２，２ａを貫通する止め穴６を設けて成る飾り本体７を形成し、その飾り本体７に、オスホック８とメスホック９で一組とする留め具１０を組み合わせて成る背もたれ用下げ飾り１を構成する。【００１５】  実施例１の下げ飾り１は、縦長状の上部は円弧状を成し、かつ、その下部面には数多くの切れ目３，３を施した細帯片４，４を形成して成る二枚の皮革生地２，２ａを重ね合わせた前記円弧状端部を縫い付けて袋状にし、かつその中央部に止め穴６を施したて成る飾り本体７に、オスメス一組とする留め具１０を組み合わせる飾りであるので、この飾り本体７を自動二輪車の背もたれフレーム１１に取り付ける場合は、二枚の皮革生地２，２ａで成る飾り本体７を広げてから背もたれフレーム１１の上頂に被せて後、オスホック８とメスホック９による留め具１０で止めると、図３のように背もたれの上部に美しく下げ飾れる。
【実施例２】
【００１６】  実施例２の下げ飾りを図４に示す斜視図で説明する。
実施例２による下げ飾り１は、前記実施例１と異なり背もたれフレーム１１の中ほどまたは下部に取り付けるタイプである。【００１７】  まず、背もたれフレーム１１に一巻きできる幅で、高さが約１５０ｍｍ程度の矩形状の皮革生地２一枚をカットして成る上部約４０ｍｍ幅部分の左右端部寄りに、上下二つの通し穴１２，１２を設けるとともに、その下部１１０ｍｍ幅部分全体には、前記実施例１と同様に数多くの切れ目３，３を施した短冊状の細帯片４，４を形成して成る飾り本体７を形成し、その飾り本体７に、別体の皮紐または靴紐等による結び紐１３を組み合わせて成る背もたれフレーム１１用の下げ飾り１を構成する。【００１８】  実施例２の下げ飾り１は、縦長の皮革生地２の上部一定幅部分の左右端部に上下二つの通し穴１２，１２を設けるとともに、その少し下部全体には数多くの切れ目３，３を施した細紐片４，４を形成する一枚タイプの飾り本体７に、別体の結び紐１３を組み合わせているので、背もたれフレーム１１に取り付ける場合は、飾り本体７を背もたれフレーム１１に巻き付けて後に、靴紐を結ぶようにして、図４に示すように結び紐１３をそれぞれの通し穴１２，１２に通してから結ぶことで、図５に示すように背もたれフレーム１１の下部に飾り付けられる。尚、紐で結ぶ方式であるのでフレームの太さに関わらず取り付けられる。【００１９】  本考案による実施例１の下げ飾り１は、二枚の皮革生地２，２ａの表面が外側になるように重ね合わせているが、表と裏または表面どうしを重ね合わせても構わない。また皮革生地が好ましいが、丈夫でしなやかさがあれば他の素材でも差し支えにものとし、いずれも特に限定するものではない。
【符号の説明】
【００２０】１  下げ飾り
２  皮革生地
２ａ  皮革生地
３  切れ目
４  細帯片
４ａ  細帯片
５  縫い目
６  止め穴
７  飾り本体
８  オスホック
９  メスホック
１０  留め具
１１  背もたれフレーム
１２  通し穴
１３  結び紐
【図１】
0003162915.tif 000003
【図２】
0003162915.tif 000004
【図３】
0003162915.tif 000005
【図４】
0003162915.tif 000006
【図５】
0003162915.tif 000007